(57)【要約】      （修正有）【課題】一度開封した箱にその痕跡を顕著に残す開封痕跡残置機能付き包装用箱を提供する。【解決手段】箱Ｂは、正面板１２上下の溝形の破断線Ｃの外側に破断線に近接して、正面板の表面から表面と裏面との間の板紙の中間層まで半切れの切込みＨＣを備える。蓋Ａ１又はＡ２を開封する際に、正面板の溝形の破断線で囲まれた部分を押し破ることにより、破断線で囲まれた部分を正面板から切り離すとともに、切り離しに追従して正面板の破断線Ｃと半切れの切込みＨＣとの間の部分を正面板の表面から剥離し、剥離後の部分に板紙の中間層を露出させる。【選択図】図１
0003217732.tif 000002
【実用新案登録請求の範囲】
【請求項１】
板紙から形成され、箱の正面、背面及び左右両側面をなす４側面板と、箱の一端開口を封じる蓋と、箱の他端開口を封じる蓋とからなり、前記４側面板のうちの１側面板の両端又は一端に蓋の開封用に溝形の破断線を有し、当該破断線で囲まれた部分を押し破り、当該１側面板から切り離すことにより、蓋を開封する形式の包装用箱において、
前記１側面板の前記溝形の破断線の外側に当該破断線に近接して、前記１側面板の表面から当該表面と裏面との間の前記板紙の中間層まで半切れの切込みを備えて、
蓋を開封する際に、前記１側面板の前記溝形の破断線で囲まれた部分を押し破ることにより、当該破断線で囲まれた部分を前記１側面板から切り離すとともに、この切り離しに追従して前記１側面板の前記溝形の破断線と前記半切れの切込みとの間の部分を前記１側面板の表面から剥離し、当該剥離後の部分に前記板紙の中間層を露出させる、
ことを特徴とする開封痕跡残置機能付き包装用箱。
【請求項２】
半切れの切込みは、１側面板の溝形形状の破断線の全部の外側に当該破断線の全部に沿って連続して又は不連続にして形成される請求項１に記載の開封痕跡残置機能付き包装用箱。
【請求項３】
半切れの切込みは、１側面板の溝形形状の破断線の一部の外側に当該破断線の一部に沿って連続して又は不連続にして形成される請求項１に記載の開封痕跡残置機能付き包装用箱。
【考案の詳細な説明】
【技術分野】
【０００１】
本考案は、医薬品その他各種の物品を包装するのに使用する包装用箱に関し、特に、開封後の箱に開封の痕跡を残すようにして、箱内のものが使用中あるいは使用済みであることなどの箱の管理や、また、箱内のものの抜き取り、改竄などを含む箱の不正開封の防止に資する開封痕跡残置機能付き包装用箱に関する。
【背景技術】
【０００２】
一般に医薬品の包装に使用される包装用箱が例えば特許文献１により提案されている。
この種の包装用箱は、特許文献１に開示されているように、一枚のブランクシートから一体的に打ち抜かれて形成される一枚の紙基材（板紙）から形成され、箱の正面、背面及び左右両側面をなす４側面板と、箱の一端開口を封じるための一方の蓋、この場合、上の開口を封じる上蓋と、箱の他端開口を封じるための他方の蓋、この場合、下の開口を封じる下蓋とにより構成され、上蓋、下蓋はそれぞれ、箱の３側面板の端縁部から延びる一対のフラップ、及び先端に差し込み片を有する蓋（所謂３枚フラップ）、又は箱の４側面板の端縁部から延びる一対のフラップ、及び内蓋、外蓋（所謂４枚フラップ）からなる。この種の包装用箱ではまた、特許文献１に開示されているように、箱の正面をなす側面板（以下の背景技術、課題に関する説明において、正面板という。）と上蓋との間及び正面板と下蓋との間、又はそのいずれか一方（通常、正面板と上蓋との間）に開封用の破断線が併せて設けられる。この場合、上蓋が３枚フラップからなる箱では、破断線は、ミシン目加工により、箱の正面板の上端中央に正面板の上端縁部から下方に向けて略溝形形状（略コ字形）に形成される。上蓋が４枚フラップからなる箱では、破断線は、ミシン目加工により、箱の正面板の上端中央に外蓋と正面板との間の罫線から下方に向けて略溝形形状（略コ字形）に形成され、さらにその両端から罫線上にその左右両端まで直線状に形成される。このようにして箱の上の開口を上蓋で封止する際に、上蓋が３枚フラップの場合、上の開口に一対のフラップ、蓋が順次閉じられ、蓋先端の差し込み片が正面板の内側に差し込まれて、この差し込み片と正面板が溝形の破断線で囲まれた部分に塗布された糊（ホットメルト）を介して接着され、上蓋が４枚フラップからなる箱の場合、一対のフラップ、内蓋、外蓋が順次閉じられ、内蓋と外蓋との間に塗布された糊（ホットメルト）を介して接着される。なお、上蓋は封緘テープを用いて接合されることもある。
医薬品はこのような箱に包装され、この箱を開封するときは、箱の略溝形の破断線で囲まれた部分を押し破ることで、蓋（３枚フラップの場合）又は外蓋（４枚フラップの場合）を正面板から切り離すようになっている。このような開封形式を取ることで、開封後の箱に開封の痕跡が残り、箱内のものが使用中あるいは使用済みであることなどの箱の管理や、箱内のものの抜き取り、改竄などを含む箱の不正開封の防止に有用なものとなる。
【先行技術文献】
【特許文献】
【０００３】
【特許文献１】実用新案登録第３１９９７６１号公報
【考案の概要】
【考案が解決しようとする課題】
【０００４】
しかしながら、上記従来の包装用箱のような開封形式では、箱を開封したときに開封した痕跡が残るものの、正面板の上端の一部が突片として正面板から破断線に沿ってきれいに切り離されて蓋に移り、正面板の上端には溝がきれいに残るので、箱の蓋を開けて箱から医薬品などを取り出した後で、箱を蓋で再封したときに、蓋に移された正面板の一部、つまり、蓋の突片が正面板の溝に合致して恰も未開封のように見えて、箱の管理に支障が出ることがあり、また、箱の不正開封が行われたときでも、蓋に移った正面板の一部（突片）を正面板の溝に恰も未開封のように巧妙に戻されてしまうおそれがある、という問題がある。
【０００５】
本考案は、このような従来の問題に鑑みなされたもので、この種の包装用箱において、一度開封した箱にその痕跡を顕著に残すようにして、箱内のものが使用中あるいは使用済みであることなど箱の管理をより確実に行えるようにすること、また、箱内のものの抜き取り、改竄などを含む箱の不正開封をより確実に防止できるようにすること、を目的とする。
【課題を解決するための手段】
【０００６】
上記目的を達成するために、本考案は、
板紙から形成され、箱の正面、背面及び左右両側面をなす４側面板と、箱の一端開口を封じる蓋と、箱の他端開口を封じる蓋とからなり、前記４側面板のうちの１側面板の両端又は一端に蓋の開封用に溝形の破断線を有し、当該破断線で囲まれた部分を押し破り、当該１側面板から切り離すことにより、蓋を開封する形式の包装用箱において、
前記１側面板の前記溝形の破断線の外側に当該破断線に近接して、前記１側面板の表面から当該表面と裏面との間の前記板紙の中間層まで半切れの切込みを備えて、
蓋を開封する際に、前記１側面板の前記溝形の破断線で囲まれた部分を押し破ることにより、当該破断線で囲まれた部分を前記１側面板から切り離すとともに、この切り離しに追従して前記１側面板の前記溝形の破断線と前記半切れの切込みとの間の部分を前記１側面板の表面から剥離し、当該剥離後の部分に前記板紙の中間層を露出させる、
ことを要旨とする。
この場合、半切れの切込みは、１側面板の溝形形状の破断線の全部の外側に当該破断線の全部に沿って連続して又は不連続にして形成されることが好ましい。
この場合、半切れの切込みは、１側面板の溝形形状の破断線の一部の外側に当該破断線の一部に沿って連続して又は不連続にして形成されることが好ましい。
【考案の効果】
【０００７】
本考案の開封痕跡残置機能付き包装用箱によれば、箱の１側面板の溝形の破断線の外側にこの破断線に近接して、１側面板の表面からこの表面と裏面との間の板紙の中間層まで半切れの切込みを備えて、蓋を開封する際に、１側面板の溝形の破断線で囲まれた部分を押し破ることにより、この破断線で囲まれた部分を１側面板から切り離すとともに、この切り離しに追従して１側面板の溝形の破断線と半切れの切込みとの間の部分を１側面板の表面から剥離し、この剥離後の部分に板紙の中間層を露出させるようにしたので、一度開封した箱にその痕跡を顕著に残して、箱内のものが使用中あるいは使用済みであることなどの箱の管理をより確実に行うことができ、また、箱内のものの抜き取り、改竄などを含む箱の不正開封をより確実に防止することができる、という本考案独自の格別な効果を奏する。
【図面の簡単な説明】
【０００８】
【図１】本考案の一実施の形態における開封痕跡残置機能付き包装用箱の全体構成を示す斜視図
【図２】同包装用箱の正面板の開封用の破断線の外側に形成された半切れの切込みを示す部分拡大正面図
【図３】同包装用箱の組み立て前の紙基材（板紙）を示す平面図（展開図）
【図４】同包装用箱が開封され、正面板の破断線で囲まれた部分（突片）が正面板から切り離されて上蓋に移り、正面板に溝が形成され、突片の周囲に正面板から剥離された部分が残り、正面板の溝の縁部全体に板紙の中間層が露出された状態を示す部分斜視図
【図５】同包装用箱の開封後、上蓋が閉じられても、箱が開封された痕跡が残る状態を示す部分斜視図
【図６】同包装用箱の一部変更例を示し、正面板の上端にのみ破断線と半切れの切込みが設けられた状態を示す斜視図
【図７】同包装用箱の一部変更例として示す図６の箱の組み立て前の紙基材（板紙）を示す平面図（展開図）
【図８】同包装用箱の一部変更例を示し、正面板の破断線の外側に不連続にして形成された半切れの切込みを示す部分拡大正面図
【図９】同包装用箱の一部変更例を示し、正面板の破断線の一部（左右両側の各破断線）の外側に形成された半切れの切込みを示す部分拡大正面図
【図１０】同包装用箱の一部変更例を示し、正面板の破断線の一部（下の破断線）の外側に形成された半切れの切込みを示す部分拡大正面図
【考案を実施するための形態】
【０００９】
次に、この考案を実施するための形態について図を用いて説明する。
図１に開封痕跡残置機能付き包装用箱を示している。
図１に示すように、この開封痕跡残置機能付き包装用箱Ｂ（以下、単に包装用箱Ｂ、箱Ｂと称する場合がある。）は、医薬品の包装に用いる箱で、板紙から形成され、箱Ｂの正面、背面及び左右両側面をなす４側面板１１−１４と、箱Ｂの一端開口を封じる蓋Ａ１と、箱の他端開口を封じる蓋Ａ２とからなり、４側面板１１−１４のうちの１側面板１２の両端又は一端に蓋Ａ１、Ａ２又はその一方の開封用に溝形の破断線Ｃを有し、この破断線Ｃで囲まれた部分を押し破り、１側面板１２から切り離すことにより、蓋Ａ１、Ａ２又はその一方を開封する形式になっている。
そして、この包装用箱Ｂでは、特に、１側面板１２の溝形の破断線Ｃの外側にこの破断線Ｃに近接して、１側面板１２の表面からこの表面と裏面との間の板紙の中間層まで半切れの切込みＨＣを備えて、蓋Ａ１、Ａ２又はその一方を開封する際に、１側面板１２の溝形の破断線Ｃで囲まれた部分を押し破ることにより、この破断線Ｃで囲まれた部分を１側面板１２から切り離すとともに、この切り離しに追従して１側面板１２の溝形の破断線Ｃと半切れの切込みＨＣとの間の部分をこの１側面板１２の表面から剥離し、この剥離後の部分に板紙の中間層を露出させるようにしてある。
【００１０】
この包装用箱Ｂの場合、箱Ｂは、所謂板紙と呼ばれる比較的厚さがあり直立性のある紙材により形成され、４側面１１−１４（右側面板１１、１側面板１２に当たる正面板１２、左側面板１３、背面板１４）と、これら４側面１１−１４の一端開口、この場合、上の開口を封じるための上蓋Ａ１として、左右の各側面板１１、１３の上端縁部から延びる２つの上のフラップ１６、１８（図３参照）、及び背面板１４の上端縁部から延びる先端に差し込み片２０１（図３参照）を有する上の蓋２０と、他端の開口、この場合、下の開口を封じるための下蓋Ａ２として、左右の各側面板１１、１３の下端縁部から延びる２つの下のフラップ１７、１９（図３参照）、及び背面板１４の下端縁部から延びる先端に差し込み片２１１を有する下の蓋２１（図３参照）とを備える。
この場合、４側面１１−１４はそれぞれ縦（上下方向）に長い長方形に形成される。４側面１１−１４の２つの上のフラップ１６、１８はそれぞれ略台形に形成され、上の蓋２０は略四角形に、その差し込み片２０１は横長、角丸の帯状に、それぞれ、形成される。４側面１１−１４の２つの下のフラップ１７、１９はそれぞれ略台形に形成され、下の蓋２１は略四角形に、その差し込み片２１１は横長、角丸の帯状に、それぞれ、形成される。
このようにして箱Ｂは、上下の各開口がそれぞれ、２つの上のフラップ１６，１７、及び上の蓋２０、２つの下のフラップ１８，１９、及び下の蓋２１により閉じられ、上下の各蓋２０、２１の各差し込み片２０１、２１１が正面板１２の内側に差し込まれ，各差し込み片２０１、２１１と正面板１２が糊付けにより接着されて、全体として縦に長い直方体状に構成される。
そして、この包装用箱Ｂでは、箱Ｂの上下どちらからでも開封可能に、箱Ｂの正面板１２の上下端中央にそれぞれ、破断線Ｃが、ミシン目加工により、正面板１２の上下端縁部から反対側の端縁部に向けて略溝形形状（略コ字形又は略Ｕ字形若しくは略Ｖ字形又は略半円形若しくは略円弧形状を含む。）に形成され、上下の各蓋２０、２１の差し込み片２０１、２１１がそれぞれ、正面板１２の溝形の破断線Ｃで囲まれた各部に糊（ホットメルト）を介して接着される。なお、上下の各蓋２０、２１の各差し込み片２０１、２１１が正面板１２に糊付けされるのに代えて、上下の各蓋２０、２１が正面板１２に封緘テープにより接合されてもよい。この場合、封緘テープは正面板１２の溝形の破断線Ｃで囲まれた各部から上蓋２０、下蓋２１に跨って貼付される。
このようにして正面板１２の上又は下の一方の溝形の破断線Ｃで囲まれた部分を指先で押し破り、この破断線Ｃで囲まれた部分を正面板１２から切り離すことにより、箱Ｂが開封され、上下の蓋２０、２１の一方を引き上げて、箱Ｂに包装された医薬品を取り出せるようになっている。
【００１１】
そして、この箱Ｂには、正面板１２の上端、下端にそれぞれ半切れの切込みＨＣが併せて形成されて、新たな開封痕跡残置機能が付加される。
この場合、半切れの切込みＨＣは溝形の破断線Ｃの外側にこの破断線Ｃに近接して形成される。ここで「半切れの切込みＨＣ」は、破断線Ｃのように紙材からなる正面板１２の表面から裏面まで達する切込みとは異なり、紙材からなる正面板１２の表面からこの表面と裏面との間の中間層までの（裏面に達しない）切込みとなっている。また「破断線Ｃに近接して」とは、正面板１２の溝形の破断線Ｃで囲まれた部分を押し破ることにより、この破断線Ｃで囲まれた部分とともにこの破断線Ｃと半切れの切込みＨＣとの間の部分が正面板１２の表面から引き剥がし可能となる程度に近接することをいう。
そして、この場合、半切れの切込みＨＣは、図２に示すように、正面板１２の溝形の破断線Ｃの全部の外側に、この破断線Ｃの全部に沿って連続して形成され、全体として破断線Ｃよりも少し大きい破断線Ｃと同じ溝形形状（この場合は、略コ字形）を呈する。
このようにして上下の蓋２０、２１の一方を開封する際に、正面板１２の溝形の破断線Ｃで囲まれた部分を押し破ることにより、この破断線Ｃで囲まれた部分を正面板１２から切り離すとともに、この部分の切り離しに追従して正面板１２の溝形の破断線Ｃと半切れの切込みＨＣとの間の部分を正面板１２の表面から剥離し、この剥離後の部分に板紙の中間層を露出させるようにしている。
【００１２】
この包装用箱Ｂは、一枚のブランクシートから一体的に打ち抜かれて形成された一枚の紙基材（Ｐ）からなり、この紙基材（Ｐ）は各部が所定の順序で折り曲げられ、所定の各接着位置が接着固定されて組み立てられる。
図３にこの紙基材Ｐを示している。なお、この図３には紙基材Ｐの表面（組み立て後に表側となる面）が現れている。
図３に示すように、この紙基材Ｐは、全体が上下方向に長い直方体形状に組み立て可能に、直方体形状に組み立て後の状態で、右側面板１１、正面板１２、左側面板１３、背面板１４、及び右側面板１１に重合されて背面板１４と右側面板１１との連結板１５をなす相互に折れ線Ｌ１−Ｌ４を介して連接して形成される４側面板形状部Ｐ１１−Ｐ１５（右側面板形状部Ｐ１１、正面板形状部Ｐ１２、左側面板形状部Ｐ１３、背面板形状部Ｐ１４、及び連結板形状部Ｐ１５）と、右側面板形状部Ｐ１１及び左側面板形状部Ｐ１３の上下両端にそれぞれ折れ線Ｌ５，Ｌ６及びＬ７，Ｌ８を介して形成され、直方体形状に組み立て後の状態で上の右のフラップ１６、下の右のフラップ１７及び上の左のフラップ１８、下の左のフラップ１９をなす上のフラップ形状部Ｐ１６、下のフラップ形状部Ｐ１７及び上のフラップ形状部Ｐ１８、下のフラップ形状部Ｐ１９と、背面板形状部Ｐ１４の上下方向の両端にそれぞれ折れ線Ｌ９、Ｌ１０を介して形成され、直方体形状に組み立て後の状態で上の蓋２０をなす蓋形状部Ｐ２０及びこの蓋形状部Ｐ２０の先端延長上に折れ線Ｌ１１を介して連続して形成され、上の蓋２０の差し込み片２０１をなす差し込み片形状部Ｐ２０１、下の蓋２１をなす蓋形状部Ｐ２１及びこの蓋形状部Ｐ２１の先端延長上に折れ線Ｌ１２を介して連続して形成され、下の蓋２１の差し込み片２１１をなす差し込み片形状部Ｐ２１１と、を有する。
この場合、４側面板形状部Ｐ１１−Ｐ１５はそれぞれ上下に長い長方形に形成され、正面板形状部Ｐ１２、背面板形状部Ｐ１４がそれぞれ右側面板形状部Ｐ１１、左側面板形状部Ｐ１３よりも少し幅広に形成される。なお、連結板形状部Ｐ１５は背面板形状部Ｐ１４の左側縁部に沿って略台形に右側面形状部Ｐ１１よりも幅狭に形成される。上、下のフラップ形状部Ｐ１６、Ｐ１７、Ｐ１８、Ｐ１９はそれぞれ略台形状に、上下の蓋形状部Ｐ２０、Ｐ２１の長さ（高さ）のおよそ半分程の長さ（高さ）に形成される。上下の各蓋形状部Ｐ２０（差し込み片形状部Ｐ２０１を除く）、Ｐ２１（差し込み片形状部Ｐ２１１を除く）はそれぞれ、箱Ｂの上下の開口と略同じ大きさの略四角形状に形成され、上下の各蓋形状部Ｐ２０、Ｐ２１の各差し込み片形状部Ｐ２０１、Ｐ２１１はそれぞれ、適宜大きさの横長の帯状（この場合、半レーストラック形状）に形成される。
そして、正面板形状部Ｐ１２の上下端中央にそれぞれ、開封用の破断線Ｃが、ミシン目加工により、正面板１２の上下端縁部から下方に向けて略溝形形状（この場合、略コ字形）に形成され、開封痕跡残置機能としての半切れの切込みＨＣが、この溝形の破断線Ｃの全部の外側に近接して、この破断線Ｃの全部に沿って連続して形成される。
【００１３】
かくして紙基材Ｐは各形状部Ｐ１１−Ｐ２１、Ｐ２０１，Ｐ２１１が各折れ線Ｌ１−Ｌ１０、Ｌ１１，Ｌ１２を介して折り曲げられ、縦（上下方向）に長い直方体形状の箱形に組み立てられる。すなわち、正面板１２をなす正面板形状部Ｐ１２に対して右側面板形状部Ｐ１１が折れ線Ｌ１を介して直角に折り曲げられて右側面板１１をなし、同様に、正面板形状部Ｐ１２に対して左側面板形状部Ｐ１３が折れ線Ｌ２を介して直角に折り曲げられて左側面板１３をなし、この左側面板１３に対して背面板形状部Ｐ１４が折れ線Ｌ３を介して直角に折り曲げられて背面板１４をなす。そして、この背面板１４に対して連結板形状部Ｐ１５が折れ線Ｌ４を介して直角に折り曲げられ、右側面板１１の内側に重合されて連結板１５をなす。この右側面板１１の内側で右側面板１１と連結板１５が糊（エマルション型）を介して連結され、これにより４側面１１−１４、１５が組み立てられる。この状態から、右、左の各側面板１１、１３の下の右、左の各フラップ形状部Ｐ１７、Ｐ１９が折れ線Ｌ６、Ｌ８を介して直角に折り曲げられて下の右、左の各フラップ１７、１９をなし、背面板１４の下の蓋形状部Ｐ２１が折れ線Ｌ１０を介して直角に折り曲げられて下の蓋２１をなし、下の蓋２１先端の差し込み片形状部Ｐ２１１が折れ線Ｌ１２を介して直角に折り曲げられて差し込み片２１１をなす。この差し込み片２１１と正面板１２が溝形の破断線Ｃで囲まれた部分に塗布された糊（ホットメルト）を介して接着され、底面が封止される。そして、右、左の各側面板１１、１３の上の右、左の各フラップ形状部Ｐ１６、Ｐ１８が折れ線Ｌ５、Ｌ７を介して直角に折り曲げられて右、左の各フラップ１６、１８をなし、背面板１４の上の蓋形状部Ｐ２０が折れ線Ｌ９を介して直角に折り曲げられて上の蓋２０をなし、差し込み片形状部Ｐ２０１が折れ線Ｌ１１を介して内側に略直角に折り曲げられて差し込み片２０１をなす。この差し込み片２０１と正面板１２が溝形の破断線で囲まれた部分に塗布された糊（ホットメルト）を介して接着され、天面が封止される。
このようにして紙基材Ｐから包装用箱Ｂが直方体形状の箱形に組み立てられ、正面板１２の上下端中央にそれぞれ、開封用の破断線Ｃと開封痕跡残置機能としての半切れの切込みＨＣが備えられる。
【００１４】
包装用箱Ｂはこのようにして構成され、例えば錠剤やカプセルなどの医薬品が複数個ずつこの箱Ｂに包装されて、例えば医療機関やドラッグストアなどへ供給される。
そして、医療機関では、図１を参照すると、この包装用箱Ｂを開封して箱Ｂから医薬品を取り出すときは、正面板１２の上又は下の一方の溝形の破断線Ｃで囲まれた部分を押し破って、この破断線Ｃで囲まれた部分を正面板１２から切り離す。これにより、箱Ｂが開封され、上の蓋２０又は下の蓋２１の一方を引き上げれば、箱Ｂから医薬品を取り出すことができる。このようにして正面板１２の溝形の破断線Ｃで囲まれた部分を押し破ると、図４に示すように、この部分の切り離しに追従して正面板１２の溝形の破断線Ｃと半切れの切込みＨＣとの間の部分が正面板１２の表面から剥離し、この剥離後の部分に板紙の中間層が露出される。この場合、半切れの切込みＨＣが正面板１２に溝形の破断線Ｃの全部の外側に近接して破断線Ｃの全部に沿って連続して形成されているので、正面板１２から溝形の破断線Ｃで囲まれた部分が切り離されて正面板１２に形成された溝１２０の縁部全体に板紙の中間層が現れ、また、上蓋２０又は下蓋２１の一方に移された正面板１２の一部（突片１２１）の周囲には正面板１２から剥離された部分が不安定な形状の紐状になって付着される。このため、箱Ｂから医薬品を取り出した後、箱Ｂを上の蓋２０又は下の蓋２１で再封したときに、蓋側に移された正面板１２の一部、つまり、蓋側の突片１２１が正面板１２の溝１２０にぴったりと嵌まり込んだとしても、図５に示すように、正面板１２に形成された溝１２０の縁部全体には板紙の中間層が露出し、蓋側の突片１２１の周囲に不安定な形状の紐状のものが付いているので、箱Ｂが開封された痕跡は顕著に残され、箱Ｂが未開封に見えることがなく、箱Ｂ内のものが使用中あるいは使用済みであることなどの箱の管理を確実に実施することができる。
また、ドラッグストアなどでは、この包装用箱Ｂに収容された医薬品が陳列棚などに載せられることとなるが、この場合に、箱Ｂの不正開封を行おうとすると、既述のとおり、正面板１２の溝１２０の縁部全体に板紙の中間層が露出し、蓋側の突片１２１の周囲には不安定な形状の紐状のものが付着されるので、蓋側に移った正面板１２の一部（突片１２１）を正面板１２の溝１２０に未開封のように戻すことは困難で、箱Ｂの不正開封をより強固に防止することができる。
なお、この箱Ｂの場合、正面板１２の上下に破断線Ｃが半切れの切込みＨＣとともに形成されているので、箱Ｂを上下どちらからでも簡単に開封することができ、箱Ｂの上下どちらにも開封の痕跡を顕著に残すことができる。また、箱Ｂの開封に使用しなかったどちらかの破断線Ｃは箱Ｂを廃棄するときの箱Ｂの解体用に用いることができる。
【００１５】
以上説明したように、この開封痕跡残置機能付き包装用箱Ｂによれば、箱Ｂの正面板１２の上下の溝形の破断線Ｃの外側にこの破断線Ｃに近接して、正面板１２の表面からこの表面と裏面との間の板紙の中間層まで半切れの切込みＨＣを備えて、蓋Ａ１又はＡ２を開封する際に、正面板１２の溝形の破断線Ｃで囲まれた部分を押し破ることにより、この破断線Ｃで囲まれた部分を正面板１２から切り離すとともに、この切り離しに追従して正面板１２の溝形の破断線Ｃと半切れの切込みＨＣとの間の部分を正面板１２の表面から剥離し、この剥離後の部分に板紙の中間層を露出させるようにしたので、一度開封した箱Ｂにその痕跡を顕著に残して、箱Ｂ内のものが使用中あるいは使用済みであることなどの箱の管理をより確実に行うことができ、また、箱Ｂ内のものの抜き取り、改竄などを含む箱Ｂの不正開封をより確実に防止することができる。
【００１６】
なお、この実施の形態は次のように変更可能である。
（１）この実施の形態では、箱Ｂの正面板１２の上下に破断線Ｃが半切れの切込みＨＣとともに形成されているものとしたが、図６、図７に示すように、この破断線Ｃ及び半切れの切込みＨＣは箱Ｂの正面板１２の上下どちらか一方（通常は、正面板１２の上端）にのみ設けられてもよい。
このようにしても上記実施の形態と同様の作用効果を奏することができる。
（２）この実施の形態では、箱Ｂが縦長で、上下両端が蓋Ａ１、Ａ２になっているものとしたが、箱が横長で、左右両端が蓋になっている場合も同様で、箱の１側面板の左右両端又は左右両端のどちらか一方に破断線とともに半切れの切込みが設けられることで、上記実施の形態と同様の作用効果を奏することができる。
（３）この実施の形態では、半切れの切込みＨＣが、正面板１２の溝形形状の破断線Ｃの全部の外側にこの破断線Ｃの全部に沿って連続して形成されるものとしたが、図８に示すように、半切れの切込みＨＣは、正面板１２の溝形形状の破断線Ｃの全部の外側にこの破断線Ｃの全部に沿って不連続にして形成されてもよい。
このようにしても上記実施の形態と概ね同様の作用効果を奏することができる。
（４）この実施の形態では、半切れの切込みＨＣが、正面板１２の溝形形状の破断線Ｃの全部の外側にこの破断線Ｃの全部に沿って連続して形成されるものとしたが、図９に示すように、半切れの切込みＨＣが、正面板１２の溝形形状の破断線Ｃにおいて左右の各破断線Ｃ１、Ｃ２の外側に（左右の各破断線Ｃ１、Ｃ２に近接して）これら各破断線Ｃ１、Ｃ２の外側に沿って連続して形成され、また、図１０に示すように、半切れの切込みＨＣが、正面板１２の溝形形状の破断線Ｃにおいて下の破断線Ｃ３の外側に（下の破断線Ｃ３に近接して）この破断線Ｃ３の外側に沿って連続して形成されるなど、正面板１２の溝形形状の破断線Ｃの一部の外側にこの破断線Ｃの一部に沿って連続して形成されてもよい。さらに、この半切れの切込みＨＣも連続されず不連続にして形成されてもよい。
このようにしても上記実施の形態と概ね同様の作用効果を奏することができる。
（５）この実施の形態では、溝形の破断線Ｃが略コ字形を呈するものとし、これに対応して、半切れの切込みＨＣもまた略コ字形を呈するものとしたが、破断線Ｃの形状は略Ｕ字形若しくは略Ｖ字形又は略半円形若しくは略円弧形状に変更可能であり、この破断線Ｃの形状の変更に応じて、半切れの切込みＨＣの形状もまた、略Ｕ字形若しくは略Ｖ字形又は略半円形若しくは略円弧形状に、又はその一部の形状に変更可能である。
このようにしても上記実施の形態と概ね同様の作用効果を奏することができる。
（６）この実施の形態では、箱Ｂの蓋Ａ１、Ａ２が、箱Ｂの３側面板１１、１２、１４の端縁部から延びる一対のフラップ１６，１８、１７，１９及び先端に差し込み片２０１、２１１を有する上の蓋２０、下の蓋２１からなる３枚フラップの場合で、正面板１２に設けられる開封用の破断線Ｃの外側に半切れの切込みＨＣが設けられるものとしたが、箱Ｂの蓋Ａ１、Ａ２が４側面板の端縁部から延びる一対のフラップ、及び内蓋、外蓋からなる４枚フラップの場合にも、正面板の両端又は一端に開封用の破断線とともに半切れの切込みを設けることができる。この４枚フラップの場合、通常、背面板から延びる内蓋と正面板から延びる外蓋が糊付けにより接着され、開封用の破断線が箱の正面板の上端中央に外蓋と正面板との間の罫線から反対側の罫線に向けて略溝形形状に形成され、さらにその両端から罫線上にその左右両端まで直線状に形成されるので、この場合も、略溝形の破断線の外側に半切れの切込みを同様に形成することができる。
このようにすることで、４枚フラップの場合でも、上記実施の形態と同様の作用効果を奏することができる。
【符号の説明】
【００１７】
Ｂ  開封痕跡残置機能付き包装用箱
１１  右側面板
１２  正面板
１２０  溝
１２１  突片
１３  左側面板
１４  背面板
１５  連結板
Ａ１  上蓋
Ａ２  下蓋
１６  フラップ
１７  フラップ
１８  フラップ
１９  フラップ
２０  蓋
２０１  差し込み片
２１  蓋
２１１  差し込み片
Ｐ  紙基材
Ｐ１１  右側面板形状部
Ｐ１２  正面板形状部
Ｐ１３  左側面板形状部
Ｐ１４  背面板形状部
Ｐ１５  連結板形状部
Ｐ１６  フラップ形状部
Ｐ１７  フラップ形状部
Ｐ１８  フラップ形状部
Ｐ１９  フラップ形状部
Ｐ２０  蓋形状部
Ｐ２０１  差し込み片形状部
Ｐ２１  蓋形状部
Ｐ２１１  差し込み片形状部
Ｌ１−Ｌ１２  折れ線
Ｃ  破断線
Ｃ１、Ｃ２  左右の破断線
Ｃ３  下の破断線
ＨＣ  半切れの切込み
【図１】
0003217732.tif 000003
【図２】
0003217732.tif 000004
【図３】
0003217732.tif 000005
【図４】
0003217732.tif 000006
【図５】
0003217732.tif 000007
【図６】
0003217732.tif 000008
【図７】
0003217732.tif 000009
【図８】
0003217732.tif 000010
【図９】
0003217732.tif 000011
【図１０】
0003217732.tif 000012